(57)【要約】【課題】電波発信制限モードに設定して電波を放射しないようにしても、他の通信機能以外の機能を使用することができる移動体通信システムを提供する。【解決手段】本発明の移動体通信システムは、携帯通信端末１０が電波発信制限モードに設定されていると、携帯通信端末１０が呼出を検出しても着信応答信号を返送しないので、例えば、医療機器や病院内のコンピュータや操縦室内のコンピュータが誤動作を引き起こすことを防止できる。この場合、当該端末１０の表示部１３または振動装置（バイブレータ）１８ｃで当該呼出を端末１０の所有者に通知するようにしている。このため、例えば、病院内にいる当該端末１０の所有者は公衆電話などで呼出があった相手に連絡することができるし、病院外に出て該端末１０の電波発信制限モードを解除することにより、直接、携帯通信端末１０により呼出があった相手に連絡することができるようになる。【選択図】　図１
2004096315.tif 000002
【特許請求の範囲】
【請求項１】
自動電波発信機能を停止する電波発信制限モードを備えた携帯通信端末を有する移動体通信システムであって、
前記電波発信制限モードにおいて、前記携帯通信端末が呼出を検出した場合に、該端末は交換ノードまたは該交換ノードにアクセス可能なノード装置に着信応答信号を発信しないようにするとともに、当該端末の表示部または振動装置で当該呼出を当該端末の所有者に通知するようにし、
かつ、前記交換ノードまたは該交換ノードにアクセス可能なノード装置は当該端末装置からの前記着信応答信号の返送がない場合に、当該着信要求があったことを着信履歴情報として記憶装置に記憶するようにしたことを特徴とする移動体通信システム。
【請求項２】
前記着信履歴情報に電波発信制限モードでない通常モードにおいて前記端末からアクセス可能にしたことを特徴とする請求項１に記載の移動体通信システム。
【請求項３】
前記電波発信制限モードにおいて、当該端末が位置登録エリア変更に伴う位置登録動作が必要であることを検出した場合であっても、位置登録のための電波発信を行わないようにしたことを特徴とする請求項１または請求項２に記載の移動体通信システム。
【発明の詳細な説明】
【０００１】
【発明の属する技術分野】
本発明は、携帯電話機、ＰＨＳ（ｐｅｒｓｏｎａｌ　ｈａｎｄｙ−ｐｈｏｎｅ　ｓｙｓｔｅｍ）あるいはＰＤＡ（ｐｅｒｓｏｎａｌ　ｄｉｇｉｔａｌ　ａｓｓｉｓｔａｎｔｓ）などの携帯通信端末を有する移動体通信システムに係わり、特に、自動電波発信機能を停止する電波発信制限モードを備えた携帯通信端末を有する移動体通信システムに関する。
【０００２】
【従来の技術】
携帯電話機、ＰＨＳ、ＰＤＡなどの携帯通信端末は、移動中の連絡通信手段として、広く一般に普及するようになった。ところが、この種の携帯通信端末は比較的強い電磁波を放射することから、各種の電子機器に対して悪影響を及ぼす恐れがあるといわれている。このため、特に、病院や航空機内において、携帯通信端末を通信可能な状態にしていると、即ち、携帯通信端末から電波が発信されていると、医療機器や病院内のコンピュータや操縦室内のコンピュータが誤動作を引き起こす可能性がある。したがって、病院内や航空機内では、携帯通信端末からの電波を止める必要があり、携帯通信端末の電源スイッチを切るようにアナウンスや要請を行って、各種の弊害が生じるのを防止するようにしている。
【０００３】
【発明が解決しようとする課題】
ところで、現在の携帯通信端末は通信機能のみでなく、ゲーム機能、音楽機能、電子メール機能、写真機能等の各種の機能を有する多機能型の携帯通信端末となっている。このため、携帯通信端末の電源スイッチを切るようにすると、この種の種々の機能が使用できないという不便さが生じる。例えば、ダウンロードしたゲームを行ったり、ダウンロードした音楽データを再生したり、受信した画像データ（写真や動画）を再生することができないという問題を生じた。
【０００４】
また、既に着信した電子メールを読んだり、電話番号を登録したり、スケジュールを確認したりするような、通信機能以外の機能も使えなくなってしまうという問題があった。さらに、電源スイッチがオフ時に呼出があったとしても、この端末のユーザは呼出があったことを知ることができないとともに、着信要求があったことを交換ノード（交換局）または該交換ノードにアクセス可能なノード装置（基地局）に記憶されることもなかった。このため、呼出があった相手が誰であったかということも当然に知ることができなった。
【０００５】
そこで、本発明は、上記問題点を解決するためになされたものであって、電波発信制限モードに設定して携帯通信端末から電波を放射しないようにしても、他のゲーム機能、音楽機能、写真機能等の各種の機能や、既に着信した電子メールを読んだり、電話番号を登録したり、スケジュールを確認したりするような、通信機能以外の機能を使用することができる移動体通信システムを提供することを目的とする。
【０００６】
【課題を解決するための手段】
上記目的を達成するため、本発明の移動体通信システムは、電波発信制限モードにおいて、携帯通信端末が呼出を検出した場合に、該端末は交換ノード（交換局）または該交換ノードにアクセス可能なノード装置（基地局）に着信応答信号を発信しないようにするとともに、当該端末の表示部または振動装置で当該呼出を当該端末の所有者に通知するようにし、かつ、交換ノード（交換局）または該交換ノードにアクセス可能なノード装置（基地局）は当該端末装置からの着信応答信号の発信がない場合に、着信要求があったことを着信履歴情報として着信履歴記憶装置に記憶するようにしたことを特徴とする。
【０００７】
このように、携帯通信端末が呼出を検出した場合に、該端末が着信応答信号を発信しないようにすると、該端末から電波が放射されることがないので、例えば、医療機器や病院内のコンピュータや操縦室内のコンピュータが誤動作を引き起こすことを防止できるようになる。この場合、当該端末の表示部または振動装置で当該呼出を当該端末の所有者に通知するようにしている。このため、例えば、病院内にいる当該端末の所有者は公衆電話などで呼出があった相手に連絡することができるし、病院外に出て該端末の電波発信制限モードを解除することにより、直接、携帯通信端末により呼出があった相手に連絡することができるようになる。
【０００８】
また、ゲーム機能、音楽機能、写真機能等の各種の機能や、既に着信した電子メールを読んだり、電話番号を登録したり、スケジュールを確認したりするような、通信機能以外の機能を使用しても電波を放射することがないので、この種の携帯通信端末の利便性が格段に向上する。また、携帯通信端末から着信応答信号の発信がない場合に、着信要求があったことを着信履歴情報として交換ノード（交換局）または該交換ノードにアクセス可能なノード装置（基地局）の着信履歴記憶装置に記憶するようにしているとともに、この着信履歴情報に携帯通信端末がアクセス可能となされている。
【０００９】
このため、電波発信制限モードでない通常モードにおいて、携帯通信端末が交換ノード（交換局）または該交換ノードにアクセス可能なノード装置（基地局）の記憶装置にアクセスして当該着信履歴情報を記憶装置から取り出すことが可能となる。さらに、電波発信制限モードにおいては、当該携帯通信端末が位置登録エリア変更に伴う位置登録動作が必要であることを検出した場合であっても、位置登録のための電波発信を行わないようにしている。これにより、医療機器や病院内のコンピュータや操縦室内のコンピュータが誤動作を引き起こすことを未然に防止できるようになる。
【００１０】
【発明の実施の形態】
ついで、本発明の一実施の形態を図１〜図６に基づいて説明する。なお、図１は本発明の移動体通信システムの概略構成を模式的に示す図である。図２は携帯通信端末の構成例を示すブロック図である。図３は携帯通信端末の位置登録動作を示すフローチャートであり、図４は携帯通信端末の呼出動作を示すフローチャートである。また、図５は交換ノード（交換局）の着信履歴を記憶するための処理動作を示すフローチャートである。図６は携帯通信端末からの着信の問い合わせに対する着信記録の履歴読み出し動作を示すシーケンス図である。
【００１１】
１．移動体通信システム
以下に、本実施の形態の移動体通信システムの概略構成を図１に基づいて説明する。本実施の形態の移動体通信システムは、携帯通信端末（携帯電話機）１０（図１においては、１０ａ，１０ｂ，１０ｃを示している）を含み、例えば、無線基地局（ＢＳ：Ｂａｓｅ　Ｓｔａｔｉｏｎ）２１（図１においては、２１ａ，２１ｂ，２１ｃを示している）および移動電話網２２を介して交換局（ＭＳＣ：Ｍｏｂｉｌｅ　Ｓｗｔｃｈｉｎｇ　Ｃｅｎｔｅｒ；交換ノードともいう）２３に接続されている。交換局（ＭＳＣ）２３にはＨＬＲ（Ｈｏｍｅ　Ｌａｃａｔｉｏｎ　Ｒｅｇｉｓｔｅｒ）２４が設けられている。このＨＬＲ２４には、移動電話網における全携帯電話機１０の位置情報や加入者データなどを管理する網内データベースが格納されている。
【００１２】
ここで、携帯通信端末（携帯電話機）１０が、自機に記憶されている自機が在圏しているセルのセル番号と報知されているセル番号とを照合して、不一致になった時に移動端末は網内に位置登録信号を送出する。これを受信した当該セルの基地局２１は、位置登録信号を交換局（ＭＳＣ）２３に送る。交換局（ＭＳＣ）２３は、位置登録信号をルーチング可能な位置情報に変換してＨＬＲ２４に格納する。すなわち、セルＡに属している携帯電話機１０ａにおけるＨＬＲ２４に格納されている位置情報欄には、セルＡのセル番号が格納されていることになる。例えば、携帯電話機１０ａがセルＡからセルＢに移動すると、上述したように携帯電話機１０ａはセルＢに位置登録し直され、さらに、携帯電話機１０ａがセルＢからセルＣに移動すると、携帯電話機１０ａはセルＣに位置登録し直されるようになる。
【００１３】
また、交換局（交換ノード）ＭＳＣ２３には携帯電話機１０に種々のサービスを提供するサービスセンター２５と、メールを蓄積しているメールサーバ２６と、留守番メッセージが記憶されている留守電サーバ２７と、携帯電話機ごとの着信履歴を記憶している着信履歴記憶装置２８と、携帯電話機毎の通話料金の課金データが記憶されている課金情報管理サーバ２９とが接続されている。ここで、サービスセンター２５には、登録ユーザ情報、交通情報、天気予報、ニュース等の各種情報サービスデータが格納されているサービスデータベースが備えられている。
【００１４】
また、メールサーバ２６は携帯電話機ごとのメールを蓄積しており、留守電サーバ２７には留守番サービスを契約している携帯電話機ごとにメッセージが記憶されている。着信履歴記憶装置２８は携帯電話機ごとの着信履歴を記憶していて、携帯電話機からの着信の問い合わせに対して応答できるようにしている。課金情報管理サーバ２９は携帯電話機毎の通話料金の課金データが記憶され、メモリエリアには携帯電話機毎あるいは管理者基地局毎の特定機能の使用料金の課金データが記憶されている。
【００１５】
携帯通信端末（携帯電話機）１０は、図２に示すように、アンテナＡＮＴと、中央処理装置（Ｃｅｎｔｒａｌ　Ｐｒｏｃｅｓｓｉｎｇ　Ｕｎｉｔ：ＣＰＵ）１１と、ＲＯＭ（Ｒｅａｄ　ＯｎｌｙＭｅｍｏｒｙ）／ＲＡＭ（Ｒａｎｄｏｍ　Ａｃｃｅｓｓ　Ｍｅｍｏｒｙ）１２と、表示部１３と、キー入力部１４と、受信部１５および送信部１６と、シンセサイザ１７と、信号処理部１８と、マイク（ＭＩＣ）１８ａと、スピーカ（ＳＰ）１８ｂと、バイブレータ１８ｃと、内部バス（以下、単に「バス」という）１９とを備えている。ここで、ＣＰＵ１１は、電話機能プログラムを実行することにより携帯電話機１０の各部の動作を制御するシステム制御部であり、動作時の経過時間を示したり、特定の時間間隔でタイマ割込を発生するタイマを備えている。
【００１６】
ＲＯＭ／ＲＡＭ１２において、ＲＯＭにはＣＰＵ１１が実行する送信処理や受信処理の各種電話機能プログラムや、設定された相手先へ自動発信する自動発信処理等のプログラムが格納されている。また、ＲＡＭには自動発信する相手先の電話番号や、取り込んだ自機の位置情報や、ユーザ設定データ格納エリア、およびＣＰＵ１１のワークエリア等が設定されている。表示部１３は表示駆動回路および表示画面などにより構成されている。また、キー入力部１４はキーボードを備えていて、入力されたキーは表示画面に表示されるようになされている。そして、これらの各機能ブロックはバス１９を介してデータや命令の授受を行っている。
【００１７】
アンテナＡＮＴは受信部１５および送信部１６に接続されており、これらの受信部１５および送信部１６にはシンセサイザ１７が接続されている。そして、受信部１５および送信部１６は信号処理部１８およびバス１９を介してＣＰＵ１１に接続されている。信号処理部１８には音声コーデック回路およびチャネルコーデック回路を備えており、音声コーデック回路は受話信号あるいは音声信号を復号すると共に、入力された送話信号を音声圧縮符号化している。チャネルコーデック回路は、データの圧縮／伸長処理やスクランブル／デスクランブル処理を行っており、例えば受信した信号がデータであった場合は、チャネルコーデック回路に供給されたデータのデスクランブル処理および伸長処理を行って、再生されたデータが出力される。
【００１８】
このように構成される携帯電話機１０において、ユーザがキー入力部１４を操作して、電波発信制限モードに設定すると、これに応答してＣＰＵ１１は表示部１３を制御して、表示部のディスプレイ（図示せず）に電波発信制限モードである旨を表示する。これと同時に、ＣＰＵ１１はバス１９および信号処理部１８を介して送信部１６に制御信号を送出して、位置登録要求信号を送出しないようにする。これにより、位置登録要求信号は送信部１６を介してアンテナＡＮＴから送信されないこととなって、位置登録が行われない。また、ＣＰＵ１１は呼出を検出しても、送信部１６に制御信号を送出して、呼出応答のための信号（着信無線状態報告信号）を送出しないようにする。これにより、携帯電話機１０は呼出を検出しても電波を放射することがない。
【００１９】
ここで、電波発信制限モードに設定されていないと、ＣＰＵ１１は、通話相手の着呼に応答して、着呼処理を実行する。つまり、ＣＰＵ１１は、信号処理部１８を制御して、スピーカ１８ｂから着信音または着信メロディのような呼び出し音を出力したり、バイブレータ１８ｃを作動させてユーザに着信を認識させるようにしている。ユーザは、呼び出し音によって“着信（着呼）あり”を認識し、キー入力部１４を用いて着信操作を入力する。したがって、接続状態が確立され、ＣＰＵ１１は通話処理を実行する。つまり、通話相手の音声信号がアンテナＡＮＴで受信され、受信部１５、信号処理部１８を介してスピーカ１８ｂから通話相手の音声信号が出力される。
【００２０】
一方、ユーザの音声信号は、マイク１８ａから入力され、信号処理部１８および送信部１６を介してアンテナＡＮＴから送信される。また、ユーザは、キー入力部１４を用いて所望の通話相手の電話番号を入力することができる。ユーザが電話番号を入力すると、これに応答してＣＰＵ１１が表示部１３を制御して、表示部のディスプレイ（図示せず）に電話番号を表示する。続いて、ユーザがキー入力部１４を用いて発呼を指示すると、ＣＰＵ１１は発呼処理を実行する。そして、接続状態が確立されると、ＣＰＵ１１は上述のような通話処理を実行する。
【００２１】
また、携帯通信端末（携帯電話機）１０では、メールサーバ２６から電子メールの着信通知がアンテナＡＮＴで受信され、受信部１５、信号処理部１８およびバス１９を介してＣＰＵ１１に取り込まれる。したがって、ＣＰＵ１１は、着信通知に応じて着信処理を実行する。具体的には、ＣＰＵ１１は、信号処理部１８を制御して、電子メールの着信音や着信メロディをスピーカ１８ｂから出力する。また、ＣＰＵ１１は、表示部１３を制御して、表示部１３のディスプレイに“メッセージがあります。”などのメッセージを表示することもできる。これに応じてユーザは、キー入力部１４を操作して、メールサーバ２６にアクセスし、電子メールを受信することができる。
【００２２】
具体的には、アンテナＡＮＴで受信された電子メールは、受信部１５，信号処理部１８およびバス１９を介してＣＰＵ１１に一端取り込まれ、ＣＰＵ１１からバス１９を介してＲＡＭ１２に記憶される。そして、ユーザがキー入力部１４を操作して、電子メールの表示を指示すると、ＣＰＵ１１がＲＡＭ１２に記憶された電子メールを読み出し、表示部１３を制御して、表示部１３のディスプレイに電子メールの本文が表示される。なお、電子メールの本文を表示等した後に、ユーザがキー入力部１４を操作して、電子メールの消去を指示すると、ＲＡＭ１２に記憶された電子メールが消去される。
【００２３】
一方、ユーザは、キー入力部１４を操作して、メッセージ文や所望の電子メールアドレスを入力し、発呼操作を実行すると、携帯電話機１０はメールサーバ２６にアクセスし、電子メールを送信することができる。つまり、所望の相手に電子メールを送信することができる。なお、この実施例では、データの送受信として、電子メールのやり取りのみを示しているが、音楽データを受信（ダウンロード）したり、携帯電話機１０で入力したメッセージを無線基地局１４、携帯電話網２２および固定電話網（図示せず）を介してファクシミリに送信したりすることもできる。
【００２４】
また、携帯電話機１０はタイマ（図示せず）を含み、タイマから出力される時間情報に基づいて、ＣＰＵ１１は表示部１３を制御し、表示部１３のディスプレイに暦（日付）や時間等を表示することができる。また、ユーザがキー入力部１４を操作してスケジュールの表示を指示すると、これに応じてＣＰＵ１１は、ＲＡＭ１２に格納されたスケジュールに対応するデータを読み出し、表示部１３を制御して、表示部１３のディスプレイにスケジュールの画面を表示する。スケジュールの画面が表示されると、ユーザは、キー入力部１４を用いて予定などを入力することができる。予定などが入力され、スケジュールが更新されると、ＣＰＵ１１は更新されたスケジュールのデータをＲＡＭ１２に記憶する。それ以降は、このような動作等が繰り返し実行される。
【００２５】
さらに、携帯電話機１０はヘッドフォンが接続される再生回路（図示せず）およびインターフェイス（図示せず）を含み、再生回路およびインターフェイスはバス１９を介してＣＰＵ１１に接続される。また、インターフェイスは、この携帯電話機１０に着脱可能なメモリカードと接続される。したがって、ユーザがキー入力部１４を用いて再生を指示すると、これに応じてＣＰＵ１１が再生回路に再生の指示を与えるとともに、メモリカードに記憶された音楽データを読み出し、再生回路が音楽データを再生して、ヘッドフォンに出力する。
【００２６】
２．移動体通信システムの動作
（１）携帯通信端末（携帯電話機）の着信動作
ついで、上述のように構成される移動体通信システムの動作を図３〜図５のフローチャートに基づいて説明する。なお、図３および図４は携帯電話機１０のＣＰＵ１１が実行する処理動作を示すフローチャートである。そして、この処理動作を実行するためのプログラムは携帯電話機１０のＲＯＭ／ＲＡＭ１２のＲＯＭに予め記憶されている。また、図５は交換局（ＭＳＣ）２３のＣＰＵが実行する処理動作を示すフローチャートであり、この処理動作を実行するためのプログラムは交換局（ＭＳＣ）２３のＲＯＭに予め記憶されている。
【００２７】
まず、携帯電話機１０の電源が投入されると、ＣＰＵ１１は処理動作を開始し、ステップＳ３０にて、自機に記憶されている自機が在圏しているセルのセル番号と報知されているセル番号とを照合して、セル番号が一致しているか否かの判定を行う。ここで、自機に記憶されているセル番号と基地局１１から報知されているセル番号が一致していれば、ＣＰＵ１１はステップＳ３０にて「Ｙｅｓ」と判定してステップＳ３８（図４参照）に進める。セル番号が不一致の時は、位置登録処理を実行する必要があるのでステップＳ３２に進める。
【００２８】
ステップＳ３２に進むと、電波発信制限モードに設定されているか否かの判定を行う。ここで、ユーザが予め電波発信制限モードに設定していると、このステップＳ３２にて「Ｙｅｓ」と判定してステップＳ３０に戻る。即ち、電波発信制限モードに設定されていると判定すると、ＣＰＵ１１はバス１９および信号処理部１８を介して送信部１６に制御信号を送出して、位置登録要求信号を送出しないようにする。これにより、位置登録要求信号は送信部１６を介してアンテナＡＮＴから送信されないこととなって、位置登録が行われない。
【００２９】
一方、ユーザが電波発信制限モードに設定してないと、ステップＳ３２にて「Ｎｏ」と判定して、ステップＳ３４に進み、ＣＰＵ１１はバス１９および信号処理部１８を介して送信部１６に制御信号を送出して、位置登録要求信号を送出する。位置登録要求信号を受信した当該セルの基地局２１は、位置登録要求信号を交換局（ＭＳＣ）２３に送る。交換局（ＭＳＣ）２３は、位置登録要求信号をルーチング可能な位置情報に変換してＨＬＲ２４に格納する。
【００３０】
すなわち、例えば、セルＡに属している携帯電話機１０ａにおけるＨＬＲ２４に格納されている位置情報欄には、セルＡのセル番号が格納されていることになる。この結果、交換局（ＭＳＣ）２３は基地局２１（例えば２１ａ）を介して、携帯電話機１０（例えば１０ａ）に位置登録受付信号を送信することとなる。これにより、携帯電話機１０の受信部１６はこの位置登録受付信号をアンテナＡＮＴを介して受信し、これを信号処理部１８およびバス１９を介してＣＰＵ１１に送出するので、ＣＰＵ１１はステップＳ３６にて位置登録を完了して、ステップＳ３０に戻ることとなる。
【００３１】
このような状態で、交換局（ＭＳＣ）２３が携帯電話機１０（例えば１０ａ）への着信を検出すると、交換局（ＭＳＣ）２３は基地局２１（例えば２１ａ）を介して、携帯電話機１０（例えば１０ａ）にページング（呼出）信号を送信することとなる。これにより、携帯電話機１０の受信部１６がこの呼出信号をアンテナＡＮＴを介して受信し、これを信号処理部１８およびバス１９を介してＣＰＵ１１に送出すると、ＣＰＵ１１は呼出信号を受信してステップＳ３８にて「Ｙｅｓ」と判定してステップＳ４０に進む。交換局（ＭＳＣ）２３が携帯電話機１０（例えば１０ａ）への着信を検出しないと、携帯電話機１０の受信部１６は呼出信号を受信しないので、ステップＳ３８にて「Ｎｏ」と判定してステップＳ３８に戻り着信の待機状態（待ち受け状態）となる。
【００３２】
ついで、ステップＳ４０に進むと、電波発信制限モードに設定されているか否かの判定を行う。ここで、ユーザが予め電波発信制限モードに設定していると、このステップＳ４０にて「Ｙｅｓ」と判定してステップＳ４２に進む。ステップＳ４２に進むと、電波発信制限モードに設定されているので、ＣＰＵ１１はバス１９および信号処理部１８を介して送信部１６に制御信号を送出して、呼出応答のための信号（着信無線状態報告信号）を送出しないようにする。これにより、交換局（ＭＳＣ）２３は基地局２１（例えば２１ａ）を介して着信無線状態報告信号を受信できないため、接続状態が確立されないこととなる。この場合、交換局（ＭＳＣ）２３は後述するように、この着信情報を着信履歴記憶装置２８に記憶して、後に携帯電話機１０（例えば１０ａ）からの着信の問い合わせに対して応答できるようにしている。
【００３３】
また、ステップＳ４２においては、ＣＰＵ１１は着信無線状態報告信号を送出しないと同時に、信号処理部１８および表示部１３を制御を制御する。ここで、信号処理部１８を制御することにより、バイブレータ１８ｃが駆動されてユーザに着信を報知するとともに、表示部１３が制御されて表示部１３のディスプレイに“着信があります”などのメッセージが表示されることとなる。これにより、ユーザは、“着信（着呼）あり”を認識することができるが、この場合は「電波発信制限モード」に設定されているため、キー入力部１４を用いて着信操作を行うことができなく、再度、ステップＳ３０に戻って、引き続き待ち受け状態となる。
【００３４】
一方、ユーザが電波発信制限モードに設定してないと、ステップＳ４０にて「Ｎｏ」と判定して、ステップＳ４４に進み、ＣＰＵ１１はバス１９および信号処理部１８を介して送信部１６に制御信号を送出して、通常の着信動作を実行するための着信無線状態報告信号を送出した後、ステップＳ４６に進める。これにより、通常の着信動作が実行されることとなり、ここで、交換局（ＭＳＣ）２３が着信無線状態報告信号を当該セルの基地局２１を介して受信すると、交換局（ＭＳＣ）２３は、認証要求信号を送出し、この認証要求信号に基づいて、ＣＰＵ１１は認証応答信号を送出する。また、交換局（ＭＳＣ）２３は、レベル測定要求信号を送出し、これに応答してＣＰＵ１１はレベル測定応答信号を送出する。
【００３５】
また、交換局（ＭＳＣ）２３は、無線チャンネル指定信号およびＳＥＴＵＰ信号を送出し、これに応答してＣＰＵ１１はＡＬＥＲＴ信号およびＣＯＮＮ信号を送出する。これにより、交換局（ＭＳＣ）２３は、ＣＯＮＮＡＣＫ信号を送出して、携帯電話機１０（例えば１０ａ）と基地局２１（例えば２１ａ）との接続状態が確立され、ＣＰＵ１１は通話処理を実行する。つまり、通話相手の音声信号がアンテナＡＮＴで受信され、受信部１５、信号処理部１８を介してスピーカ１８ｂから通話相手の音声信号が出力される。一方、ユーザの音声信号は、マイク１８ａから入力され、信号処理部１８および送信部１６を介してアンテナＡＮＴから送信されることとなる。
【００３６】
そして、ＣＰＵ１１が通話処理を実行しているうちにユーザがフックオフすると、ＣＰＵ１１はキー入力部１４からのフックオフ信号を検出して、ステップＳ４８にて終話処理を実行し、再度、ステップＳ３０に戻って、引き続き待ち受け状態となって、再度、呼出信号を受信する（着信がある）と上述した動作を繰り返して実行されることとなる。
【００３７】
（２）交換局（ＭＳＣ）の着信記録動作
ここで、ユーザが予め電波発信制限モードに設定していると、上述のステップＳ４０にて「Ｙｅｓ」と判定し、ステップＳ４２にて、呼出応答のための信号（着信無線状態報告信号）を送出しないこととなる。これにより、交換局（ＭＳＣ）２３は基地局２１（例えば２１ａ）を介して着信無線状態報告信号を受信できないため、接続状態が確立されないこととなる。この場合の交換局（ＭＳＣ）２３のＣＰＵ（図示せず）の処理動作を、図５のフローチャートに基づいて説明する。
【００３８】
まず、交換局（ＭＳＣ）２３が携帯電話機１０（例えば１０ａ）への着信を検出すると、交換局（ＭＳＣ）２３のＣＰＵ（図示せず）は処理動作を開始し、ステップＳ５０にて、基地局２１（例えば２１ａ）を介して、携帯電話機１０（例えば１０ａ）にページング（呼出）信号を送信する。ここで、携帯電話機１０が電波発信制限モードに設定されていないと、携帯電話機１０は着信無線状態報告信号を送信する。このため、交換局（ＭＳＣ）２３は基地局２１（例えば２１ａ）を介して着信無線状態報告信号を受信するので、ステップＳ５２にて「Ｙｅｓ」と判定して、ステップＳ５４にて通常の着信動作を行った後、ステップＳ５０に戻って、着信待機状態となる。
【００３９】
一方、携帯電話機１０が電波発信制限モードに設定されていると、携帯電話機１０は着信無線状態報告信号を送信しないように動作する。このため、交換局（ＭＳＣ）２３は基地局２１（例えば２１ａ）を介して着信無線状態報告信号を受信できないため、ステップＳ５２にて「Ｎｏ」と判定して、ステップＳ５６にて、この着信情報を着信履歴記憶装置２８に記憶させるようにしてする。これにより、後に携帯電話機１０（例えば１０ａ）からの着信の問い合わせに対して応答できるようになる。ついで、着信情報を記憶させた後、ステップＳ５０に戻って、着信待機状態となる。
【００４０】
（３）着信記録の履歴読み出し
ついで、携帯電話機１０（例えば１０ａ）からの着信の問い合わせに対する着信記録の履歴読み出し動作を図６のシーケンス図に基づいて説明する。ここで、携帯電話機１０（例えば１０ａ）が、電波発信制限モードに設定していたときに着信があったか否かを知るために、特定のダイヤル番号（Ｂ番号）にダイヤルすると、携帯電話機１０は基地局２１（例えば２１ａ）を介して交換局（ＭＳＣ）２３に、発信無線状態報告メッセージ、ＳＥＴＵＰ（呼設定）メッセージ、ダイヤル番号を送信する。
【００４１】
これに応答して交換局（ＭＳＣ）２３はＣＡＬＬＰＲＯＣ（呼設定受付）メッセージおよび認証要求メッセージを基地局２１（例えば２１ａ）を介して携帯電話機１０に送出する。すると、携帯電話機１０は認証要求メッセージに応答して認証応答メッセージを基地局２１（例えば２１ａ）を介して交換局（ＭＳＣ）２３に送出する。これにより、交換局（ＭＳＣ）２３は着信履歴記憶装置２８に接続要求メッセージを送信した後、携帯電話機１０に基地局２１（例えば２１ａ）を介してレベル測定要求メッセージを送出する。携帯電話機１０がレベル測定要求メッセージを受信すると、携帯電話機１０はレベル測定応答メッセージを送信する。
【００４２】
携帯電話機１０がレベル測定応答メッセージを送信すると、交換局（ＭＳＣ）２３は基地局２１（例えば２１ａ）を介して無線チャンネル指定メッセージおよびＡＬＥＲＴ（呼出）メッセージを携帯電話機１０に送出する。このとき、交換局（ＭＳＣ）２３が着信履歴記憶装置２８から接続応答メッセージを受信すると、交換局（ＭＳＣ）２３は基地局２１（例えば２１ａ）を介してＣＯＮＮ（応答）メッセージを携帯電話機１０に送出する。このＣＯＮＮ（応答）メッセージに基づいて、携帯電話機１０はＣＯＮＮＡＣＫ（応答確認）メッセージを送出する。これにより、携帯電話機１０と交換局（ＭＳＣ）２３との接続が確立されて、携帯電話機１０は着信履歴記憶装置２８に記憶された着信履歴を着信履歴記憶装置２８から取り出すことが可能となる。
【００４３】
【発明の効果】
上述したように、本発明においては、携帯通信端末１０が電波発信制限モードに設定されていると、携帯通信端末１０が呼出を検出しても着信応答信号を返送しないので、例えば、医療機器や病院内のコンピュータや操縦室内のコンピュータが誤動作を引き起こすことを防止できる。この場合、当該端末１０の表示部１３または振動装置（バイブレータ）１８ｃで当該呼出を端末１０のユーザに通知するようにしている。このため、例えば、病院内にいる当該端末１０のユーザは公衆電話などで呼出があった相手に連絡することができるし、病院外に出て該端末１０の電波発信制限モードを解除することにより、直接、携帯通信端末１０により呼出があった相手に連絡することができるようになる。
【００４４】
また、ゲーム機能、音楽機能、写真機能等の各種の機能や、既に着信した電子メールを読んだり、電話番号を登録したり、スケジュールを確認したりするような、通信機能以外の機能を使用しても電波を放射することがないので、この種の携帯通信端末１０の利便性が格段に向上する。また、携帯通信端末１０から着信応答信号の返送がない場合に、着信要求があったことを着信履歴情報として交換ノード（交換局）２３の記憶装置２８に記憶するようにしているとともに、この着信履歴情報に携帯通信端末１０がアクセスすることが可能とされている。このため、電波発信制限モードでない通常モードにおいて、携帯通信端末１０が交換ノード（交換局）２３の記憶装置２８にアクセスして当該着信履歴情報を記憶装置２８から取り出すことが可能となる。
【００４５】
なお、上述した実施の形態においては、着信履歴情報を記憶する記憶装置２８を交換ノード（交換局）２３に設ける例について説明したが、このような記憶装置２８を交換ノード（交換局）２３に設けることに代えて、基地局（交換ノードにアクセス可能なノード装置）２１に設けるようにしても良い。
また、上述した実施の形態においては、携帯通信端末として携帯電話機のみを用いた移動体通信システムの例について説明したが、携帯通信端末としては携帯電話機に限らず、ＰＨＳ（ｐｅｒｓｏｎａｌ　ｈａｎｄｙ−ｐｈｏｎｅ　ｓｙｓｔｅｍ）やＰＤＡ（ｐｅｒｓｏｎａｌ　ｄｉｇｉｔａｌ　ａｓｓｉｓｔａｎｔｓ）などの複数種類の携帯通信端末を有する移動体通信システムにも適用できることは明らかである。
【図面の簡単な説明】
【図１】本発明の移動体通信システムの概略構成を模式的に示す図である。
【図２】図１の携帯通信端末の構成例を示すブロック図である。
【図３】携帯通信端末の位置登録動作を示すフローチャートである。
【図４】携帯通信端末の呼出動作を示すフローチャートである。
【図５】交換ノード（交換局）の着信履歴を記憶するための処理動作を示すフローチャートである。
【図６】携帯通信端末からの着信の問い合わせに対する着信記録の履歴読み出し動作を示すシーケンス図である。
【符号の説明】
１０…携帯電話機、１１…ＣＰＵ、１２…ＲＯＭ／ＲＡＭ、１３…表示部、１４…キー入力部、１５…受信部、１６…受信部、１７…シンセサイザ、１８…信号処理部、１８ａ…マイク、１８ｂ…スピーカ、１８ｃ…バイブレータ、１９…内部バス、２１…基地局（ＢＳ）、２２…移動電話網、２３…交換局（ＭＳＣ）、２４…ＨＬＲ、２５…サービスセンター、２６…メールサーバ、２７…留守電サーバ、２８…着信履歴記憶装置、２９…課金情報管理サーバ
【図１】
2004096315.tif 000003
【図２】
2004096315.tif 000004
【図３】
2004096315.tif 000005
【図４】
2004096315.tif 000006
【図５】
2004096315.tif 000007
【図６】
2004096315.tif 000008